【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
第１の顎部と、
前記第１の顎部に対向して配置され、Ｕリンクにより前記第１の顎部に回転可能に取り付けられた第２の顎部と、
前記第１の顎部に回転可能に取り付けられた第１のリンク片と、
前記第２の顎部に回転可能に取り付けられた第２のリンク片と、
前記第１のリンク片及び前記第２のリンク片の双方に回転可能に取り付けられた箱状スライダと、
を備え、
前記箱状スライダを先端部側に移動させることにより、前記第１の顎部及び前記第２の顎部が開位置へと回動し、
前記箱状スライダを基端部側に移動させることにより、前記第１の顎部及び前記第２の顎部が閉位置へと回動し、
前記第１の顎部及び前記第２の顎部は針を通して展開可能である、ことを特徴とする鉗子装置。
【請求項２】
前記針は少なくとも０．９ｍｍの内径を有する、ことを特徴とする請求項１に記載の鉗子装置。
【請求項３】
前記第１の顎部及び前記第２の顎部は平坦なカップ状部分を有する、ことを特徴とする請求項１に記載の鉗子装置。
【請求項４】
前記第１の顎部及び前記第２の顎部の各々は、少なくとも１つの歯部を有する、ことを特徴とする請求項１に記載の鉗子装置。
【請求項５】
前記少なくとも１つの歯部は、前記顎部の基端部から先端部に向かうにつれて長さが増加する複数の歯部を含む、ことを特徴とする請求項４に記載の鉗子装置。
【請求項６】
前記第１の顎部は、
第１の歯部と、
前記第１の歯部より先端部側に位置し、前記第１の歯部より長さが長い第２の歯部と、
前記第２の歯部より先端部側に位置し、前記第２の歯部より長さが長い第３の歯部と、
前記第３の歯部より先端部側に位置し、前記第３の歯部と同じ長さを有する第４の歯部と、
前記第４の歯部より先端部側に位置し、前記第４の歯部より長さが長い第５の歯部と、
前記第５の歯部より先端部側に位置し、前記第５の歯部より長さが長い第６の歯部と、
前記第６の歯部より先端部側に位置し、前記第６の歯部より長さが長い第７の歯部と、
前記第７の歯部より先端部側に位置し、前記第７の歯部より長さが長い第８の歯部と、
を有し、
前記第２の顎部は、
前記第１の顎部の前記第１の歯部より長さが長い第１の歯部と、
前記第１の歯部より先端部側に位置し、前記第１の歯部と同じ長さを有する第２の歯部と、
前記第２の歯部より先端部側に位置し、前記第２の歯部より長さが長い第３の歯部と、
前記第３の歯部より先端部側に位置し、前記第３の歯部より長さが長い第４の歯部と、
前記第４の歯部より先端部側に位置し、前記第４の歯部より長さが長い第５の歯部と、
前記第５の歯部より先端部側に位置し、前記第５の歯部より長さが長い第６の歯部と、
前記第６の歯部より先端部側に位置し、前記第６の歯部より長さが長い第７の歯部と、
前記第７の歯部より先端部側に位置し、前記第７の歯部と同じ長さを有する第８の歯部と、
を有する、ことを特徴とする請求項４に記載の鉗子装置。
【請求項７】
前記第１の顎部及び前記第２の顎部の少なくとも一方は窓部を有する、ことを特徴とする請求項１に記載の鉗子装置。
【請求項８】
前記窓部の先端部は、前記窓部を有する前記顎部の外側面に対して傾斜している、ことを特徴とする請求項７に記載の鉗子装置。
【請求項９】
前記第１の顎部の基端部は、ばね鞘に接続されかつ当該ばね鞘内に嵌合するカラー部を有している、ことを特徴とする請求項１に記載の鉗子装置。
【請求項１０】
前記箱状スライダは、前記Ｕリンクのガイドチャンネル内に係合して水平方向にスライドするように大きさが設定された少なくとも１つのガイド部材を有する、ことを特徴とする請求項１に記載の鉗子装置。
【請求項１１】
前記箱状スライダは駆動ワイヤに接続されている、ことを特徴とする請求項１に記載の鉗子装置。
【請求項１２】
前記駆動ワイヤはニチノールから形成されている、ことを特徴とする請求項１１に記載の鉗子装置。
【請求項１３】
ニッケルにより形成されている、ことを特徴とする請求項１に記載の鉗子装置。
【請求項１４】
Ｖａｌｌｏｙ−１２０（登録商標）により形成されている、ことを特徴とする請求項１に記載の鉗子装置。
【請求項１５】
前記装置は物理的気相成長法により形成される、ことを特徴とする請求項１に記載の鉗子装置。
【請求項１６】
固定された第１の顎部と、
前記第１の顎部に対して移動可能である第２の顎部と、
を備え、
前記第１の顎部及び前記第２の顎部は針内において展開可能である、ことを特徴とする鉗子装置。
【請求項１７】
前記針は少なくとも０．９ｍｍの内径を有する、ことを特徴とする請求項１６に記載の鉗子装置。
【請求項１８】
前記第１の顎部及び前記第２の顎部は平坦なカップ状部分を有する、ことを特徴とする請求項１６に記載の鉗子装置。
【請求項１９】
前記第１の顎部及び前記第２の顎部の各々は、少なくとも１つの歯部を有する、ことを特徴とする請求項１６に記載の鉗子装置。
【請求項２０】
前記少なくとも１つの歯部は、前記顎部の基端部から先端部に向かうにつれて長さが増加する複数の歯部を含む、ことを特徴とする請求項１９に記載の鉗子装置。
【請求項２１】
前記第１の顎部は、
第１の歯部と、
前記第１の歯部より先端部側に位置し、前記第１の歯部より長さが長い第２の歯部と、
前記第２の歯部より先端部側に位置し、前記第２の歯部より長さが長い第３の歯部と、
前記第３の歯部より先端部側に位置し、前記第３の歯部より長さが長い第４の歯部と、
前記第４の歯部より先端部側に位置し、前記第４の歯部より長さが長い第５の歯部と、
前記第５の歯部より先端部側に位置し、前記第５の歯部より長さが長い第６の歯部と、
前記第６の歯部より先端部側に位置し、前記第６の歯部より長さが長い第７の歯部と、
前記第７の歯部より先端部側に位置し、前記第７の歯部より長さが長い第８の歯部と、
を有し、
前記第２の顎部は、
前記第１の顎部の前記第１の歯部より長さが長い第１の歯部と、
前記第１の歯部より先端部側に位置し、前記第１の歯部より長さが長い第２の歯部と、
前記第２の歯部より先端部側に位置し、前記第２の歯部より長さが長い第３の歯部と、
前記第３の歯部より先端部側に位置し、前記第３の歯部より長さが長い第４の歯部と、
前記第４の歯部より先端部側に位置し、前記第４の歯部より長さが長い第５の歯部と、
前記第５の歯部より先端部側に位置し、前記第５の歯部より長さが長い第６の歯部と、
前記第６の歯部より先端部側に位置し、前記第６の歯部より長さが長い第７の歯部と、
前記第７の歯部より先端部側に位置し、前記第７の歯部と同じ長さを有する第８の歯部と、
を有する、ことを特徴とする請求項１９に記載の鉗子装置。
【請求項２２】
前記第１の顎部及び前記第２の顎部の少なくとも一方は窓部を有する、ことを特徴とする請求項１６に記載の鉗子装置。
【請求項２３】
前記窓部の先端部は、前記窓部を有する前記顎部の外側面に対して傾斜している、ことを特徴とする請求項２２に記載の鉗子装置。
【請求項２４】
前記固定された第１の顎部の基端部は、ばね鞘に接続されかつ当該ばね鞘内に嵌合するカラー部を有している、ことを特徴とする請求項１６に記載の鉗子装置。
【請求項２５】
前記第２の顎部は基端部に、前記第１の顎部及び前記第２の顎部が閉位置へと移動するときに過度の移動を防ぐように、前記固定された第１の顎部に当接するストッパ突起部を有する、ことを特徴とする請求項１６に記載の鉗子装置。
【請求項２６】
前記第２の顎部の基端部は、リンク片に回転可能に接続されており、当該リンク片は駆動アームに回転可能に接続されている、ことを特徴とする請求項１６に記載の鉗子装置。
【請求項２７】
前記第１の顎部及び前記第２の顎部が開位置へと移動するときに過度の移動を防ぐように、前記駆動アームは、先端部に前記第２の顎部に当接するＵリンクを有する、ことを特徴とする請求項２６に記載の鉗子装置。
【請求項２８】
前記駆動アームは、前記固定された第１の顎部のガイドチャンネル内に係合して水平方向にスライドするように大きさが設定された少なくとも１つのガイド部材を有する、ことを特徴とする請求項２６に記載の鉗子装置。
【請求項２９】
前記駆動アームの基端部は駆動ワイヤに接続されている、ことを特徴とする請求項２６に記載の鉗子装置。
【請求項３０】
前記駆動ワイヤはニチノールから形成されている、ことを特徴とする請求項２９に記載の鉗子装置。
【請求項３１】
ニッケルにより形成されている、ことを特徴とする請求項１６に記載の鉗子装置。
【請求項３２】
Ｖａｌｌｏｙ−１２０（登録商標）により形成されている、ことを特徴とする請求項１６に記載の鉗子装置。
【請求項３３】
前記装置は物理的気相成長法により形成される、ことを特徴とする請求項１６に記載の鉗子装置。
【請求項３４】
前記第１の顎部は、
第１の歯部と、
前記第１の歯部より先端部側に位置し、前記第１の歯部より長さが長い第２の歯部と、
前記第２の歯部より先端部側に位置し、前記第２の歯部より長さが長い第３の歯部と、
前記第３の歯部より先端部側に位置し、前記第３の歯部と同じ長さを有する第４の歯部と、
前記第４の歯部より先端部側に位置し、前記第４の歯部より長さが長い第５の歯部と、
前記第５の歯部より先端部側に位置し、前記第５の歯部より長さが長い第６の歯部と、
前記第６の歯部より先端部側に位置し、前記第６の歯部より長さが長い第７の歯部と、
前記第７の歯部より先端部側に位置し、前記第７の歯部より長さが長い第８の歯部と、
を有し、
前記第２の顎部は、
前記第１の顎部の前記第１の歯部より長さが長い第１の歯部と、
前記第１の歯部より先端部側に位置し、前記第１の歯部と同じ長さを有する第２の歯部と、
前記第２の歯部より先端部側に位置し、前記第２の歯部より長さが長い第３の歯部と、
前記第３の歯部より先端部側に位置し、前記第３の歯部より長さが長い第４の歯部と、
前記第４の歯部より先端部側に位置し、前記第４の歯部より長さが長い第５の歯部と、
前記第５の歯部より先端部側に位置し、前記第５の歯部より長さが長い第６の歯部と、
前記第６の歯部より先端部側に位置し、前記第６の歯部より長さが長い第７の歯部と、
前記第７の歯部より先端部側に位置し、前記第７の歯部と同じ長さを有する第８の歯部と、
を有する、ことを特徴とする鉗子装置。
【請求項３５】
針の内腔内において展開可能であり、当該針の内腔から取り除き可能な鉗子装置と、
吸引装置と、
を備え、
前記鉗子装置を取り除いたときに前記針の前記内腔を通して吸引を行う、ことを特徴とする組織診及び細胞診装置。
【請求項３６】
第１の顎部と、
前記第１の顎部に対向して配置された第２の顎部と、
を備え、
前記第１の顎部及び前記第２の顎部は、複数の歯部を有し、
前記複数の歯部のうち少なくとも１つの歯部は、複数の副歯部層を含む、ことを特徴とする鉗子装置。
【請求項３７】
前記少なくとも１つの歯部の少なくとも２つの副歯部層は、互いに高さが異なる、ことを特徴とする請求項３６に記載の鉗子装置。
【手続補正２】
【補正対象書類名】明細書
【補正対象項目名】００１６
【補正方法】変更
【補正の内容】
【００１６】
顎部１１０ａのアーム部１１４ａは、互いに離間した２つの壁部１１５ａ，１１５ｂを有する。顎部１１０ｂのアーム部１１４ｂは、１つの壁部１１５ｃを有する。アーム部１１４ａにおける２つの壁部１１５ａ，１１５ｂの間のスペースは、１つの壁部１１５ｃを受容し得るのに十分な幅を有して互いに離間している。アーム部１１４ａの壁部１１５ａ，１１５ｂは、開口部、例えば、開口部１１６ａをそれぞれ有し、アーム部１１４ｂの壁部１１５ｃは、開口部、例えば、開口部１１６ｂを有している。さらに、アーム部１１４ａは、円柱部１１７を有している。この円柱部１１７は、壁部１１５ａ，１１５ｂの内側面の間に亘っており、リンク片１２０の第１のリンク開口部１２２に取り付けられている。さらに、アーム部１１４ｂは、基端部にリンク開口部１１８を有している。このリンク開口部１１８には第２のリンク片１３０のリンクピン１３２が取り付けられている。
【手続補正３】
【補正対象書類名】明細書
【補正対象項目名】００１７
【補正方法】変更
【補正の内容】
【００１７】
第１のリンク片１２０は、第１のリンク開口部１２２を有する。この第１のリンク片は、アーム部１１４ａの壁部の間に嵌るように十分に薄く形成されている。組み立てられたときに、第１のリンク片１２０は、壁部１１５ａ，１１５ｂの内側面間に延在しかつ第１のリンク開口部１２２に挿入された円柱部１１７に回転可能に取り付けられている。第１のリンク片１２０は、第２のリンク開口部１２４を有する。この第２のリンク開口部１２４には、第２のリンク片１３０のリンクピン１３４が挿入されている。
【手続補正４】
【補正対象書類名】明細書
【補正対象項目名】００２０
【補正方法】変更
【補正の内容】
【００２０】
Ｕリンクピン１５４は、顎部１１０ａ，１１０ｂの開口部１１６ａ，１１６ｂに挿入されている。これにより、顎部１１０ａ，１１０ｂがＵリンク１５０に回転可能に取り付けられている。リンク片１２０の第２のリンク開口部１２４は、箱状スライダ１４０のリンク部材１４２ａ，１４２ｂの間に挿入され、リンク部材１４２ａ，１４２ｂの開口部と整列している。第２のリンク片１３０の第２のリンクピン１３４は、開口部１１６ａ，１１６ｂ及び開口部１２４に挿入されている。これにより、箱状スライダ１４０が双方のリンク片１２０，１３０に回転可能に取り付けられている。上記構成では、箱状スライダ１４０がＵリンク１５０の先端部に向けてスライドすると、リンク片１２０，１３０が押されて互いに離間し、これにより、顎部１１０ａ，１１０ｂが互いに離間して開位置まで回動する。一方、箱状スライダ１４０がＵリンク１５０の基端部に向けてスライドすると、リンク片１２０，１３０が互いに接近し、これにより、顎部１１０ａ，１１０ｂが互いに近づき閉位置まで回動する。
【手続補正５】
【補正対象書類名】明細書
【補正対象項目名】００３０
【補正方法】変更
【補正の内容】
【００３０】
可動顎部２０２が閉じるときにおける過度の移動を防止する他の手段として、固定顎部２０４は、基端部にカラー部２３８を有している。駆動アーム２２０は、基端部の直径が先端部（Ｕリンク２２２が位置している）の直径よりも大きくなっている。駆動アーム２２０の基端部の直径は、カラー部２３８の直径より大きくなっている。これにより、駆動アームが囲い部２３４内をさらに前方へと移動しなくなるため、可動顎部２０２は、過度に移動した位置までさらに開くことがない。